(57)【要約】      （修正有）【課題】地震時に目地プレートの両側が形成する段差や、回動した目地用の保護体が夫々突起物となってしまい歩行者や避難者にとっては障害となるばかりでなく大変に危険であるので、これを解消するエキスパンションジョイント床を提供する。【解決手段】建物と建物との躯体間上面には一対の凹部形状面５ａ，５ｂを構成し、一対の凹部形状面にはクリアランスを介してエキスパンションジョイント床１０が架設され、エキスパンションジョイント床の両端部にはラバークッション受け部８ａ，８ｂに当接されるゴム系型及び樹脂系素材からなる伸縮自在の目地用ラバークッション１１ａ，１１ｂを設けた。【選択図】図２
0003186527.tif 000002
【実用新案登録請求の範囲】
【請求項１】
建物と建物との躯体間に設けられたクリアランスを塞ぐための床用エキスパンションジョイントにおいて、該建物と建物との躯体間上面には一対の凹部形状面を構成し、該一対の凹部形状面には夫々金属製のベースプレートを敷設し、該金属製のベースプレートはそれぞれ前記凹部形状面の立ち上がり部分において立上がり斜部とラバークッション受け部を設置したエキスパンション床摺摺動部を有し、該一対の凹部形状面上に敷設された金属製ベースプレート上には前記クリアランスを塞ぐためのエキスパンションジョイント床を架設し、該エキスパンションジョイント床の両端部には前記ラバークッション受け部に当接されるゴム系型及び樹脂系素材からなる伸縮自在の目地用ラバークッションを設け、該目地用ラバークッションは上面に滑り止め溝を刻設して傾斜したＯ字形状を有し、該傾斜したＯ字形状のラバークッションは前記エキスパンションジョイント床の両端部に設けられたチャンネル形状及び尾ひれ部嵌合溝からなるラバークッション取付金具により前記ラバークッション受け部に夫々対向して取付られていることを特徴とする免震エキスパンションジョイント床の目地装置。
【請求項２】
建物と建物との躯体間に設けられたクリアランスを塞ぐための床用エキスパンションジョイントにおいて、該建物と建物との躯体間上面には夫々形状の異なる凹部形状面を構成し、該片側の凹部形状面にはＬ字形支持部材を固設し、他方の金属製ベースプレートには前記凹部形状面の立ち上がり部分において立上がり斜部とラバークッション受け部を設置し、前記Ｌ字形支持部材と立上がり斜部とラバークッション受け部を有する凹部形状面間にエキスパンション床を架設し、該架設されたエキスパンションジョイント床の片側はＬ字形支持部材の側で複数個のウイング用丁番やウイング用スプリング付きボルトで回動可能に固定されており、また該架設されたエキスパンションジョイントの他方は立上がり斜部とラバークッション受け部を設置されエキスパンション床摺摺動部を有する金属製ベースプレート上に摺動可能に敷置され、該エキスパンションジョイント床が摺動可能な側には前記ラバークッション受け部に当接されるゴム系及び樹脂系素材からなる伸縮自在の目地用ラバークッションを設け、該目地用ラバークッションは上面に滑り止め溝を刻設して傾斜したＯ字形状を有し、該傾斜したＯ字形状のラバークッションは前記エキスパンションジョイント床の片側端部に設けられたチャンネル形状及び尾ひれ部嵌合溝からなるラバークッション取付金具により前記ラバークッション受け部に対向して取付られていることを特徴とする免震エキスパンションジョイント床の目地装置。
【請求項３】
前記エキスパンションジョイント床の両端部、または片側に使用される目地用ラバークッションはエチレンプロピレンゴム、ウレタンゴム、フッ素ゴム、塩化ビニールなどの素材を一形で押出し成形して製造することを特徴とする請求項１または請求項２のいずれかに記載された免震エキスパンションジョイント床の目地装置。
【考案の詳細な説明】
【技術分野】
【０００１】
本考案は、歩行者用や車路として用いられる免震エキスパンションジョイント床の目地装置に関するものである。
【０００２】
本考案は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができ、且つ、エキスパンションジョイントの可動部の存在が識別できるボーダーラインを形成して歩行者や避難者が安全に避難できる目地装置を提供するものである。
【０００３】
また、本考案は、地震により建物間の変形が大きく揺れ続く中で、エキスパンションジョイント床カバー材の片側や両端が建物と建物間の床面上に乗り上げて大きな段差を作ってしまつた場合や、エキスパンションジョイント部分が拡がってエキスパンションジョイント床カバー部分に隙間が生じてしまった場合等に、該エキスパンションジョイント床カバー材の片側や両端部に本考案の床目地装置を取り付けておくことにより、床目地装置の先端部が緩衝材となり歩行者や避難者の足元を守ることができる免震エキスパンションジョイント床の目地装置を提供するものである。
【背景技術】
【０００４】
免震建物においては、建物が地震時に大変形を生じることに対する建築的な対応が最重要事項である。この大変形は地盤と建物の間に生じる変形で、この場合に生じる免震建造物と非免震建造物間の相互移動に対応したクリアランスを確保する必要がある。
【０００５】
即ち、建物外部から免震建物への人や車の出入りに利用される動線上において免震エキスパンションジョイント床は、建物へのアプローチとして一番重要な部分であり、躯体間の相互移動に対応できる免震エキスパンションジョイント床が必要となる。
【０００６】
斯して、最近の建造物においては、建物の高層化や免震構造の採用に伴い従来よりも免震建造物と非免震建造物との躯体間のクリアランスは広がる傾向にある。然しながら、クリアランスを大きく取るとクリアランス上に装架されるエキスパンション床カバー材は大型で幅広となり、且つ、エキスパンションジョイント床カバー材が免震建造物と非免震建造物との躯体間で摺動する間隙、即ち大きな可動範囲を有する構造の免震エキスパンションジョイントが必要とされてきている。
【０００７】
そして、免震エキスパンションジョイントは、大きな地震の揺れに対してエキスパンション床カバー材が、地震による建物と建物間の変形によりの床面上に水平に乗上げたり、片側先端部が床面上に突出する場合があっても、通常の場合には揺れが収まった時点で、エキスパンションジョイント床カバー材が他の床面に対してフラットな状態にもどる構成であることが理想とされている。
【０００８】
従って、免震エキスパンションジョイント床の目地装置においては、通常時における歩行者や車路としての快適なエキスパンションジョイント床カバーとその目地部の納まりを確保すること、及び地震が起きて揺れが続いている時の歩行者や避難者に対して前記エキスパンションジョイント床カバーとその目地部が安全性を有しているかが、重要課題となってきている。
【０００９】
而して、上述した大きな可動範囲を有する構造のエキスパンションジョイント床カバーとその目地部、並びにカバー材の摺動構造に関しては、例えば、特開２００３−１２９５７６号公報（以下、特許文献１と称する）の発明が開示されている。
【００１０】
特許文献１の発明は、エキスパンションジョイント床カバー材が免震建造物と非免震建造物との躯体間で摺動する間隙部を被覆面部（カバープレート）にて塞いだ構成のものが開示されている。
【００１１】
然しながら、特許文献１の発明のように建造物と建造物との間隙をエキスパンションジョイント床カバー材と床面間に生じる可動スペースを被覆面部（カバープレート）にて塞ぐ構成では、被覆面のカバープレートが地震時の揺れによって図５（ｂ）（引用文献１の符号）の如く被覆面部のカバープレートが床面から上部に跳ね上がったり、エキスパンション床カバー材の収納部５が図５（ｃ）（引用文献１の符号）の如く段差を有する間隙となって現れるので、地震の揺れが続いている場合に歩行者や避難者に怪我をさせてしまうという構造上の大きな欠点があった。
【先行技術文献】
【特許文献】
【００１２】
【特許文献１】特開２００３−１２９５７６号公報
【考案の開示】
【考案が解決しようとする課題】
【００１３】
斯くして、本考案は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができる他、本考案においては、エキスパンションジョイントの可動部の存在が識別できるボーダーラインを形成しており、歩行者の安全な避難が確保できる目地装置を提供するものである。
【００１４】
また、本考案は、地震による建物間の変形が大きな揺れが続く中で、エキスパンションジョイント床カバー材の片側や両端が建物と建物間の床面上に乗り上げて大きな段差を作ってしまつた場合や、エキスパンションジョイント部分が拡がってエキスパンションジョイント床カバー部分に隙間が生じてしまった場合等に、該エキスパンションジョイント床カバー材の片側や両端部に本考案の床目地装置を取り付けておくことにより、床目地装置の先端部が緩衝材となり歩行者や避難者の足元を守ることができる免震エキスパンションジョイント床の目地装置を提供するものである。
【課題を解決するための手段】
【００１５】
本考案は、建物と建物との躯体間に設けられたクリアランスを塞ぐための床用エキスパンションジョイントにおいて、該建物と建物との躯体間上面には一対の凹部形状面を構成し、該一対の凹部形状面には夫々金属製のベースプレートを敷設し、該金属製のベースプレートはそれぞれ前記凹部形状面の立ち上がり部分において立上がり斜部とラバークッション受け部を設置したエキスパンション床摺摺動部を有し、該一対の凹部形状面上に敷設された金属製ベースプレート上には前記クリアランスを塞ぐためのエキスパンションジョイント床を架設し、該エキスパンションジョイント床の両端部には前記ラバークッション受け部に当接されるゴム系型及び樹脂系素材からなる伸縮自在の目地用ラバークッションを設け、該目地用ラバークッションは上面に滑り止め溝を刻設して傾斜したＯ字形状を有し、該傾斜したＯ字形状のラバークッションは前記エキスパンションジョイント床の両端部に設けられたチャンネル形状及び尾ひれ部嵌合溝からなるラバークッション取付金具により前記ラバークッション受け部に夫々対向して取付られており、該傾斜したＯ字形状ラバークッション部分にて地震時における振動を吸収して免震エキスパンションジョイント床を床面上に水平に乗り上げさせない免震エキスパンションジョイント床の目地装置を提供するものである。
【００１６】
また、本考案は、建物と建物との躯体間に設けられたクリアランスを塞ぐための床用エキスパンションジョイントにおいて、該建物と建物との躯体間上面には夫々形状の異なる凹部形状面を構成し、該片側の凹部形状面にはＬ字形支持部材を固設し、他方の金属製ベースプレートには前記凹部形状面の立ち上がり部分において立上がり斜部とラバークッション受け部を設置し、前記Ｌ字形支持部材と立上がり斜部とベラバークッション受け部を有する凹部形状面間にエキスパンション床を架設し、該架設されたエキスパンションジョイント床の片側はＬ字形支持部材側で複数個ウイング用丁番やウイング用スプリング付きボルトで回動可能に固定されており、また該架設されたエキスパンションジョイントの他方は立上がり斜部とラバークッション受け部を設置されエキスパンション床摺摺動部を有する金属製ベースプレート上に摺動可能に敷置され、該エキスパンションジョイント床の摺動可能な側には、前記ラバークッション受け部に当接されるゴム系及び樹脂系素材からなる伸縮自在の目地用ラバークッションを設け、該目地用ラバークッションは上面に滑り止め溝を刻設して傾斜したＯ字形状を有し、該傾斜したＯ字形状のラバークッションは前記エキスパンションジョイント床の片側端部に設けられたチャンネル形状及び尾ひれ部嵌合溝からなるラバークッション取付金具により前記ラバークッション受け部に対向して取付られており、該傾斜したＯ字形状ラバークッション部分にて地震時における振動を吸収して免震エキスパンションジョイント床を床面上に水平に乗り上げさせない免震エキスパンションジョイント床の目地装置を提供するものである。
【００１７】
更に、本考案は、前記エキスパンションジョイント床の両端部、または片側に使用される目地用ラバークッションをエチレンプロピレンゴム、ウレタンゴム、フッ素ゴム、塩化ビニールなどの素材を一形で押出し成形して製造することを特徴とする請求項１または請求項２のいずれかに記載された免震エキスパンションジョイント床の目地装置を提供するものである。
【考案の効果】
【００１８】
斯くして、本考案は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができ、且つ、エキスパンションジョイントの可動部の存在が識別できるボーダーラインを形成して歩行者や避難者が安全に避難できる目地装置を提供することが可能である。
【００１９】
また、本考案は、地震により建物間の変形が大きく揺れ続く中で、エキスパンションジョイント床カバー材の片側や両端が建物と建物間の床面上に乗り上げて大きな段差を作ってしまつた場合や、エキスパンションジョイント部分が拡がってエキスパンションジョイント床カバー部分に隙間が生じてしまった場合等に、該エキスパンションジョイント床カバー材の片側や両端部に本考案の床目地装置を取り付けておくことにより、床目地装置の先端部が緩衝材となり歩行者や避難者の足元を守ることができる免震エキスパンションジョイント床の目地装置を提供可能にした。
【図面の簡単な説明】
【００２０】
【図１】本考案の実施例１の形態を説明する平面図。
【図２】（Ａ）図１のａ−ａ断面図。           （Ｂ）図２（Ａ）の動作を説明する断面図.（Ｃ）図２（Ａ）の他の動作を説明する断面図である。
【図３】実施例１の目地部を説明する拡大斜視図。
【図４】目地用ラバークッションの動作説明図。
【図５】目地用ラバークッションの他の動作説明図。
【図６】本考案の実施例２を説明する平面図。
【図７】（Ａ）図６のｂ−ｂ断面図。           （Ｂ）図７（Ａ）の動作を説明する断面図。           （Ｃ）図７（Ａ）の他の動作を説明する断面図。
【考案を実施するための形態】
【００２１】
従来のエキスパンションジョイント床の目地装置は、免震建造物と非免震建造物との躯体間のクリアランスが狭くなるように揺れ動いた場合に、地震の揺れが収まった状態で目地プレートが上方にスライド移動して両端部が左右の建物の床面上に乗り上がった状態を作出したり、また、地震の揺れが収まった状態で目地プレートが一対の凹部内に収まり左右に凹部間隙を形成してしまうので、目地プレートの両側が形成する段差や、回動した目地用の保護体が夫々突起物となってしまい歩行者や車の通行にとっては障害となるばかりでなく、大変に危険である。
【００２２】
また、エキスパンションジョイント床を設置した建物は、大地震の直後でも左右の建物に損傷を与えることなく経済活動を営んでいる確率が高いとおもわれるが、当該建物へ重要なアプローチとなるエキスパンションジョイント床部分がデコボコでは大変危険であるばかりでなく、大地震直後の数か月は繰り返し震度３〜４程度の余震が続くことを想定すれば、余震が発生した場合に避難者にとってエキスパンションジョイント部分は、目地プレートが上方にスライド移動して両端部が左右の建物の床面上に乗り上がった状態で揺れ動いたり、目地プレートが一対の凹部内に収まり左右に凹部間隙を形成した状態で揺れ動くことになり大変危険な場所となる。
【００２３】
斯くして、本考案は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができ、且つ、エキスパンションジョイントの可動部の存在が識別できるボーダーラインを形成して歩行者や避難者が安全に避難できる目地装置を提供するものである。
【００２４】
また、本考案は、地震により建物間の変形が大きく揺れ続く中で、エキスパンションジョイント床カバー材の片側や両端が建物と建物間の床面上に乗り上げて大きな段差を作ってしまつた場合や、エキスパンションジョイント部分が拡がってエキスパンションジョイント床カバー部分に隙間が生じてしまった場合等に、該エキスパンションジョイント床カバー材の片側や両端部に本考案の床目地装置を取り付けておくことにより、床目地装置の先端部が緩衝材となり歩行者や避難者の足元を守ることができる免震エキスパンションジョイント床の目地装置を提供するものである。
【００２５】
本発明は、建物と建物との躯体間に設けられたクリアランスを塞ぐための床用エキスパンションジョイントにおいて、該建物と建物との躯体間上面には一対の凹部形状面を構成し、該一対の凹部形状面には夫々金属製のベースプレートを敷設し、該金属製のベースプレートはそれぞれ前記凹部形状面の立ち上がり部分において立上がり斜部とラバークッション受け部を設置したエキスパンション床摺摺動部を有し、該一対の凹部形状面上に敷設された金属製ベースプレート上には前記クリアランスを塞ぐためのエキスパンションジョイント床を架設し、該エキスパンションジョイント床の両端部には前記ラバークッション受け部に当接されるゴム系型及び樹脂系素材からなる伸縮自在の目地用ラバークッションを設け、該目地用ラバークッションは上面に滑り止め溝を刻設して傾斜したＯ字形状を有し、該傾斜したＯ字形状のラバークッションは前記エキスパンションジョイント床の両端部に設けられたチャンネル形状及び尾ひれ部嵌合溝からなるラバークッション取付金具により前記ラバークッション受け部に夫々対向して取付られていることが好ましい。
【００２６】
また、本考案は、建物と建物との躯体間に設けられたクリアランスを塞ぐための床用エキスパンションジョイントにおいて、該建物と建物との躯体間上面には夫々形状の異なる凹部形状面を構成し、該片側の凹部形状面にはＬ字形支持部材を固設し、他方の金属製ベースプレートには前記凹部形状面の立ち上がり部分において立上がり斜部とラバークッション受け部を設置し、前記Ｌ字形支持部材と立上がり斜部とベラバークッション受け部を有する凹部形状面間にエキスパンション床を架設し、該架設されたエキスパンションジョイント床の片側はＬ字形支持部材側で複数個ウイング用丁番やウイング用スプリング付きボルトで回動可能に固定されており、また該架設されたエキスパンションジョイントの他方は立上がり斜部とラバークッション受け部を設置されエキスパンション床摺摺動部を有する金属製ベースプレート上に摺動可能に敷置され、該エキスパンションジョイント床の摺動可能な側には、前記ラバークッション受け部に当接されるゴム系及び樹脂系素材からなる伸縮自在の目地用ラバークッションを設け、該目地用ラバークッションは上面に滑り止め溝を刻設して傾斜したＯ字形状を有し、該傾斜したＯ字形状のラバークッションは前記エキスパンションジョイント床の片側端部に設けられたチャンネル形状及び尾ひれ部嵌合溝からなるラバークッション取付金具により前記ラバークッション受け部に対向して取付られていることが好ましい。
【００２７】
更に本考案は、前記エキスパンションジョイント床の両端部、または片側に使用される目地用ラバークッションをエチレンプロピレンゴム、ウレタンゴム、フッ素ゴム、塩化ビニールなどの素材を一形で押出し成形して製造することが好ましい。
【実施例１】
【００２８】
図１乃至図５は実施例１を説明するものであり、図１は平面図、図２（Ａ）は図１のａ−ａ断面図、図２（Ｂ）、（Ｃ）は動作説明図、図３は目地部の拡大斜視説明図、図４は目地用ラバークッションの動作説明図、図５は目地用ラバークッションの他の動作説明図である。
【００２９】
図１乃至図５において、エキスパンションジョイント１は、クリアランス２を介して建てられた左右の建物３ａ、３ｂ間の床面４ａ、４ｂに、該クリアランス２を開口するように形成された一対の凹部形状面５ａ、５ｂを設け、この一対の凹部形状面５ａ、５ｂ間にそれぞれ金属製のベースプレート６ａ、６ｂを敷設固定している。
【００３０】
そして、この一対の金属製のベースプレート６ａ、６ｂはそれぞれ前記凹部形状面５ａ、５ｂの立ち上がり部分において、立上がり斜部７ａ、７ｂとラバークッション受け部８ａ、８ｂを設置したエキスパンション床摺動部９ａ、９ｂを有し、該一対の凹部形状面５ａ、５ｂ上に敷設された金属製ベースプレート６ａ、６ｂ上には前記クリアランス２を塞ぐためのエキスパンションジョイント床１０を架設し、該エキスパンションジョイント床１０の両端部には前記ラバークッション受け部８ａ、８ｂに当接されるゴム系及び樹脂系素材からなる伸縮自在の目地用ラバークッション１１ａ、１１ｂを設けている。
【００３１】
尚、１２ａ、１２ｂ、１２ｃ・・・（図１に示す）は、エキスパンションジョイント床１０の中央位置維持機構で、該中央位置維持機構１２ａ、１２ｂ、１２ｃ・・・は例えば従来からよく使用されているパンタグラフ形式のものが採用されている。
【００３２】
斯くして、実施例１においては、通常時に図２（Ａ）に示すようにエキスパンションジョイント床１０、及び目地用ラバークッション１１ａ、１１ｂによってエキスパンションジョイント１の上部を覆い、該エキスパンションジョイント１のエキスパンションジョイント床１０上面が左右の床面４ａ、４ｂの上面とほぼ同一面となるように設置されている。
【００３３】
そして、地震により左右の建物３ａ、３ｂが異なる方向に揺れ動き、図２（Ｂ）に示すようにクリアランス２の寸法が狭くなった場合、目地用ラバークッション１１ａ、１１ｂが前記ラバークッション受け部８ａ、８ｂに当接して収縮するので、エキスパンションジョイント床１０は、前記床面４ａ、４ｂ上面に乗り上げて突出されることなく一対の凹部形状面５ａ、５ｂ上に保持されるので、床面４ａ、４ｂ、目地用ラバークッション１１ａ、１１ｂ、そして、エキスパンションジョイント床１０は平面状、即ち、フラット形状に維持される。    
【００３４】
また、左右の建物３ａ、３ｂが図２（Ｃ）に示すようにエキスパンション１の寸法が広くなった場合、エキスパンションジョイント床１０は複数個の中央位置維持機構１２ａ、１２ｂ、１２ｃ・・・（図１に示す）によってクリアランス２中央部に位置した状態で両端部の目地用ラバークッション１１ａ、１１ｂをスライド移動させ、ラバークッション受け部８ａ、８ｂと目地用ラバークッション１１ａ、１１ｂ間に夫々隙間を形成するが、該隙間は夫々立上り斜部７ａ、７ｂを経て凹部形状面５ａ、５ｂに傾斜面で構成されており、大きな隙間とはなりえない。        
【００３５】
図３は、図２（Ａ）の通常時の目地用ラバークッション１１ａの形状を拡大した斜視図を示すものであり、また、図４は、図３の要部断面拡大図、図５は、図２（Ｂ）の収縮された目地用ラバークッション１１ａを拡大したものであり、図３乃至図５において、４ａは床面、６ａは金属製ベースプレート、７ａは立上がり斜部、８ａはラバークッション受け部、１１ａは目地用ラバークッションであり、前記床面４ａと目地用ラバークッション１１ａは同一面上にある。
【００３６】
また、目地用ラバークッション１１ａは、上部表面に滑り止め溝１３ａ、１３ｂ、１３ｃ・・・を刻設しており、該目地用ラバークッション１１ａは傾斜したＯ字形状を有し、該傾斜したＯ字形状の目地用ラバークッション１１ａは前記エキスパンションジョイント床１０の両端部に設けられたチャンネル形状嵌合溝１４ａ及び尾ひれ部嵌合溝１５ａからなるラバークッション取付金具１６ａにより前記ラバークッション受け部８ａに夫々対向して取付ビス等で取付られており、該傾斜したＯ字形状の目地用ラバークッション１１ａ部分にて地震時における振動を吸収して免震エキスパンションジョイント床を床面上に水平に乗り上げさせないエキスパンションジョイント床の目地装置を提供するものである。
【００３７】
而して、図３及び図４に示す目地用ラバークッション１１ａの拡大図は、エキスパンションジョイントの施工完了時や通常の状態、並びに地震の揺れが終息した時の状態を示しており、また図５に示すラバークッション１１ａの拡大図は、地震が発生して左右の建物３ａ、３ｂが異なる方向に揺れ動き、図２（Ｂ）に示すようにクリアランス２の寸法が狭くなった場合を示している。
【００３８】
本考案の実施例１は、建物３ａと建物３ｂとの躯体間に設けられたクリアランス２を塞ぐための床用エキスパンションジョイント１において、該建物３ａと建物３ｂとの躯体間上面には一対の凹部形状面５ａ、５ｂを構成し、該一対の凹部形状面５ａ、５ｂには夫々金属製のベースプレート６ａ、６ｂを敷設し、該金属製のベースプレート６ａ、６ｂはそれぞれ前記凹部形状面５ａ、５ｂの立ち上がり部分において立上がり斜部７ａ、７ｂとラバークッション受け部８ａ、８ｂを設置したエキスパンション床摺摺動部９ａ、９ｂを有し、該一対の凹部形状面５ａ、５ｂ上に敷設された金属製ベースプレート６ａ、６ｂ上には前記クリアランス２を塞ぐためのエキスパンションジョイント床１０を架設し、該エキスパンションジョイント床１０の両端部には前記ラバークッション受け部８ａ、８ｂに当接されるゴム系型及び樹脂系素材からなる伸縮自在の目地用ラバークッション１１ａ、１１ｂを設け、該目地用ラバークッション１１ａ、１１ｂは上面に滑り止め溝１３ａ、１３ｂ、１３ｃ、・・・を刻設して傾斜したＯ字形状を有し、該傾斜したＯ字形状の目地用ラバークッションは１１ａ、１１ｂは前記エキスパンションジョイント床１０の両端部に設けられたチャンネル形状嵌合溝１４ａ、及び尾ひれ部嵌合溝１５ａからなるラバークッション取付金具１６ａ、１６ｂにより前記ラバークッション受け部８ａ、８ｂに夫々対向して取付られており、該傾斜したＯ字形状の目地用ラバークッション１１ａ、１１ｂ部分にて地震時における振動を吸収して免震エキスパンションジョイント床１０を床面上に水平に乗り上げさせないエキスパンションジョイント床の目地装置を提供するものである。
【００３９】
また、実施例１における前記エキスパンションジョイント床１０の両端部に使用される目地用ラバークッション１１ａ、１１ｂはエチレンプロピレンゴム、ウレタンゴム、フッ素ゴム、塩化ビニールなどの素材を一形で押出し成形して製造することにより構成されているエキスパンションジョイント床の目地装置である。
【実施例２】
【００４０】
図６及び図７（Ａ）、（Ｂ）、（Ｃ）は実施例２を説明するものであり、図６は、実施例２を説明する実施形態図、図７（Ａ）は図６のｂ−ｂ断面図、図７（Ｂ）、（Ｃ）は夫々動作を説明する断面図である。図６及び図７（Ａ）、（Ｂ）、（Ｃ）において、エキスパンションジョイント１は、クリアランス２を介して建てられた左右の建物３ａ、３ｂ間の床面４ａ、４ｂに、該クリアランス２を開口するように形成された凹部形状面５ａ、５ｂを設け、この凹部形状面５ａ、５ｂ間にそれぞれ金属製のベースプレート１７ａ、１７ｂを設け、このうち金属製ベースプレート１７ｂ上にはＬ字形支持部材１８を固設している。
【００４１】
そして、前記建物３ａと建物３ｂとの躯体間に設けられたクリアランス２を塞ぐための床用エキスパンションジョイント１において、該建物３ａと建物３ｂとの躯体間上面には夫々形状の異なる凹部形状面５ａ、５ｂを構成し、該片側の凹部形状面５ｂにはＬ字形支持部材１８を固設し、他方の金属製ベースプレート１７ａ上には前記凹部形状面５ａの立上がり部分において、立上がり斜部７ａとラバークッション受け部８ａを設置し、該金属製ベースプレート１７ａと金属製ベースプレート１７ａ間にクリアランス２を介してエキスパンション床１０を架設し、該架設されたエキスパンションジョイント床１０の金属ベースプレート１７ｂ側で前記Ｌ字型支持部材１８を用いてエキスパンションジョイント床１０とＬ字形支持部材１８を複数個のウイング用丁番１９を介して回動可能に設置している。尚、前記複数個のウイング用丁番１９はウイング用スプリング付きボルト等を用いても回動可能に設置することが可能である。
【００４２】
また前記架設されたエキスパンションジョイント床１０の他方は立上がり斜部７ａとラバークッション受け部８ａを設置されエキスパンション床摺摺動部９ａを有する金属製ベースプレート１７ａ上に摺動可能に敷置され、該エキスパンションジョイント床１０の摺動可能側には、前記ラバークッション受け部８ａに当接されるゴム系、及び樹脂系素材からなる伸縮自在の目地用ラバークッション１１ａをチャンネル形状嵌合溝１４ａ及び尾ひれ部嵌合溝１５ａからなるラバークッション取付金具１６ａにて取付けている。
【００４３】
従って、地震により左右の建物３ａ、３ｂが異なる方向に揺れ動き、図７（Ｂ）に示すように目地２の寸法が狭くなった場合、目地用ラバークッション１１ａが前記ラバークッション受け部８ａに当接して収縮するので、エキスパンションジョイント床１０は、前記床面４ａ上面に乗り上げて突出されることなく凹部形状面５ａ、５ｂ上に保持されるので、床面４ａ、４ｂ、目地用ラバークッション１１ａ、そして、エキスパンションジョイント床１０は平面状、即ち、フラット形状に維持される。    
【００４４】
また、左右の建物３ａ、３ｂが揺れ動き、図７（Ｃ）に示すようにクリアランス２の寸法が広くなった場合、エキスパンションジョイント床１０は片側が固定されているのでクリアランス２の中央部に位置した状態で片側の目地用ラバークッション１１ａをスライド移動させ、ラバークッション受け部８ａと目地用ラバークッション１１ａ間に隙間を形成するが、該隙間は目地用ラバークッション１１ａが識別可能で、且つ目地用ラバークッション１１ａにより可動部の存在を歩行者や避難者に識別できるボーダーラインを形成していることにより、歩行者や避難者が安全に避難できる目地装置となっている。
【００４５】
斯くして、本発明は、建物３ａと建物３ｂとの躯体間に設けられたクリアランス２を塞ぐための床用エキスパンションジョイント１において、該建物３ａと建物３ｂとの躯体間上面には夫々形状の異なる凹部形状面５ａ、５ｂを構成し、該片側の凹部形状面５ｂにはＬ字形支持部材１８を固設し、他方の金属製ベースプレートには前記凹部形状面の立ち上がり部分において立上がり斜部７ａとラバークッション受け部８ａを設置し、前記Ｌ字形支持部材１８と立上がり斜部７ａとラバークッション受け部８ａを有する凹部形状面５ａ、５ｂ間にエキスパンション床１０を架設し、該架設されたエキスパンションジョイント床１０の片側はＬ字形支持部材１８側で複数個ウイング用丁番１９やウイング用スプリング付きボルトで回動可能に固定されており、また該架設されたエキスパンションジョイント１０の他方は立上がり斜部７ａとラバークッション受け部８ａを設置されエキスパンション床１０の摺摺動部９ａを有する金属製ベースプレート１７ａ、１７ｂ上に摺動可能に敷置され、該エキスパンションジョイント床１０が摺動可能な側には前記ラバークッション受け部８ａに当接されるゴム系及び樹脂系素材からなる伸縮自在の目地用ラバークッション１１ａを設け、該目地用ラバークッション１１ａは上面に滑り止め溝１３ａ、１３ｂ、１３ｃ・・・を刻設して傾斜したＯ字形状を有し、該傾斜した目地用Ｏ字形状のラバークッション１１ａは前記エキスパンションジョイント床１０の片側端部に設けられたチャンネル形状嵌合溝１４ａ、及び尾ひれ部嵌合溝１５ａからなるラバークッション取付金具１６ａにより前記ラバークッション受け部８ａに対向して取付られており、該傾斜したＯ字形状の目地用ラバークッション１１ａ部分にて地震時における振動を吸収して免震エキスパンションジョイント床を床面上に水平に乗り上げさせないエキスパンションジョイント床の目地装置を提供するものである。
【００４６】
そして、前記エキスパンションジョイント床１０片側に使用される目地用ラバークッション１１ａは、ゴム系及び樹脂系素材からなる収縮自在のベローズは、エチレンプロピレンゴム、ウレタンゴム、フッ素ゴム、塩化ビニールなどの素材を一形で押出し成形して製造することにより構成されている免震エキスパンションジョイント床の目地装置である。
【００４７】
斯くして、本考案は、免震エキスパンションジョイント床の目地装置において、地震時における建物と建物間に生じる変形をエキスパンションジョイントの床目地部にて吸収してエキスパンション床カバー材が、地震による建物と建物間の変形によりの床面上に水平に乗上げたり、片側先端部が床面上に突出しない目地装置を提供するものであり、該エキスパンションジョイントの目地装置は地震による揺れが続いている場合においてもエキスパンションジョイント床カバー材と目地構造部材面をフラットに保つことができ、且つ、エキスパンションジョイントの可動部の存在が識別できるボーダーラインを形成して歩行者や避難者が安全に避難できる目地装置を提供することが可能である。
【００４８】
また、本考案は、地震により建物間の変形が大きく揺れ続く中で、エキスパンションジョイント床カバー材の片側や両端が建物と建物間の床面上に乗り上げて大きな段差を作ってしまつた場合や、エキスパンションジョイント部分が拡がってエキスパンションジョイント床カバー部分に隙間が生じてしまった場合等に、該エキスパンションジョイント床カバー材の片側や両端部に本考案の床目地装置を取り付けておくことにより、床目地装置の先端部が緩衝材となり歩行者や避難者の足元を守ることができる免震エキスパンションジョイント床の目地装置を提供可能にした。
【符号の説明】
【００４９】
１  エキスパンションジョイント
２  クリアランス
３ａ、３ｂ  建物
４ａ、４ｂ  床面
５ａ、５ｂ  凹部形状面
６ａ、６ｂ  金属製のベースプレート
７ａ、７ｂ  立上がり斜部
８ａ、８ｂ  ラバークッション受け部
９ａ、９ｂ  エキスパンション床摺動部
１０  エキスパンションジョイント床
１１ａ、１１ｂ  目地用ラバークッション
１２ａ、１２ｂ、１２ｃ・・・  中央位置維持機構
１３ａ、１３ｂ、１３ｃ・・・  滑り止め溝
１４ａ、１４ｂ  チャンネル形状嵌合溝
１５ａ、１５ｂ  尾ひれ嵌合溝
１６ａ、１６ｂ  ラバークッション取付金具  
１７ａ、１７ｂ  金属製のベースプレート
１８  Ｌ字型支持部材
１９  ウイング丁番
【図１】
0003186527.tif 000003
【図２】
0003186527.tif 000004
【図３】
0003186527.tif 000005
【図４】
0003186527.tif 000006
【図５】
0003186527.tif 000007
【図６】
0003186527.tif 000008
【図７】
0003186527.tif 000009